(57)【特許請求の範囲】
【請求項１】
ベースステーションと通信する複数の通信装置を具備し、複数の通信チャンネルが時間インターバルのサイクルに分割されている時分割多元アクセス通信システムにおける振幅変調干渉を減少させるシステムにおいて、各時間インターバルはガード期間を含み、
前記複数の通信チャンネルの第１の通信チャンネルによって前記時間インターバルの予め定められた１以上の期間に連続的に前記ベースステーションへ専用モードにおいて情報信号を送信し、かつ、前記時間インターバルの残りの期間およびガード期間に連続的にメッセージを有していない信号により構成されたＲＦエネルギを送信するように前記複数の通信装置の第１の通信装置に命令する手段と、
前記第１の通信装置において、前記命令する手段に応答して、前記第１の通信チャンネルによって前記時間インターバルの前記予め定められた１以上の期間中に連続的に前記ベースステーションへ専用モードにおいて前記情報信号を送信し、かつ、前記ガード期間を含む前記時間インターバルの前記残りの期間中に連続的にＲＦエネルギを送信する手段とを具備し、
連続的な送信によって前記干渉を前記第１の通信装置の近くにおいて減少させているシステム。
【請求項２】
前記命令する手段は、前記第１の通信チャンネルによって前記時間インターバルの前記残りの期間にわたって連続的にＲＦエネルギを送信するように前記第１の通信装置に命令し、前記送信する手段は、前記第１の通信チャンネルによって前記時間インターバルの前記残りの期間にわたって連続的にＲＦエネルギを送信する請求項１記載のシステム。
【請求項３】
前記命令する手段は、前記複数の通信チャンネルの第２の通信チャンネルによって前記時間インターバルの前記残りの期間にわたって連続的にＲＦエネルギを送信するように前記第１の通信装置に命令し、前記送信する手段は、前記第２の通信チャンネルによって前記時間インターバルの前記残りの期間にわたって連続的にＲＦエネルギを送信する請求項１記載のシステム。
【請求項４】
前記複数の通信チャンネルの第２の通信チャンネルによって前記時間インターバルの予め定められた１以上の期間にわたって連続的に前記ベースステーションへ情報信号を送信し、前記第２の通信チャンネルによって前記時間インターバルの残りの期間にわたって連続的にＲＦエネルギを送信するように前記複数の通信装置の第２の通信装置に命令する手段と、
前記第２の通信装置において、前記命令する手段に応答し、前記第２の通信チャンネルによって前記時間インターバルの前記予め定められた１以上の期間にわたって連続的に前記情報信号を前記ベースステーションへ送信し、かつ前記第２の通信チャンネルによって前記時間インターバルの前記残りの期間にわたって連続的にＲＦエネルギを送信する手段とをさらに具備し、連続的な送信により前記第２の通信装置の近くにおいて前記干渉を減少させている請求項２記載のシステム。
【請求項５】
前記複数の通信チャンネルの１つによって前記時間インターバルの予め定められた少なくとも１つの期間中に連続的に前記ベースステーションへ情報信号を送信し、かつ、前記第２の通信チャンネルによって前記時間インターバルの残りの期間中に連続的にＲＦエネルギを送信するように前記複数の通信装置の第２の通信装置に命令する手段と、
前記第２の通信装置において、前記命令する手段に応答して、前記通信チャンネルの前記１つによって前記時間インターバルの前記予め定められた少なくとも１つの期間にわたって連続的に前記情報信号を前記ベースステーションへ送信し、かつ前記第２の通信チャンネルによって前記時間インターバルの前記残りの期間にわたって連続的にＲＦエネルギを送信する手段とをさらに具備し、連続的な送信により前記干渉を前記第２の通信装置の近くにおいて減少させている請求項３記載のシステム。
【請求項６】
ベースステーションと通信する複数の通信装置を具備し、複数の通信チャンネルが時間インターバルのサイクルに分割されている時分割多元アクセス通信システムにおける振幅変調干渉を減少させる方法において、各時間インターバルはガード期間を含み、
前記複数の通信チャンネルの第１の通信チャンネルによって前記時間インターバルの予め定められた１以上の期間にわたって連続的に専用モードにおいて情報信号を前記ベースステーションへ送信し、かつ、前記時間インターバルの残りの期間およびガード期間にわたって連続的にＲＦエネルギを送信するように前記複数の通信装置の第１の通信装置に命令するステップであって、前記ＲＦエネルギはメッセージを有していない信号で構成されているステップと、
前記第１の通信装置から、前記命令するステップに応答して、前記第１の通信チャンネルによって前記時間インターバルの前記予め定められた１以上の期間にわたって連続的に前記ベースステーションへ専用モードにおいて前記情報信号を送信し、かつ前記ガード期間を含む前記時間インターバルの前記残りの期間にわたって連続的にＲＦエネルギを送信するステップであって、それによって前記干渉を連続的な送信により前記第１の通信装置の近くで減少させるステップとを含んでいる方法。
【請求項７】
前記命令するステップは、前記第１の通信チャンネルによって前記時間インターバルの前記残りの期間にわたって連続的にＲＦエネルギを送信するように前記第１の通信装置に命令するステップをさらに含んでおり、前記送信するステップは、前記第１の通信チャンネルによって前記時間インターバルの前記残りの期間にわたって連続的にＲＦエネルギを送信するステップをさらに含んでいる請求項６記載の方法。
【請求項８】
前記命令するステップは、前記複数の通信チャンネルの第２の通信チャンネルによって前記時間インターバルの前記残りの期間にわたって連続的にＲＦエネルギを送信するように前記第１の通信装置に命令するステップをさらに含んでおり、前記送信するステップは、前記第２の通信チャンネルによって前記時間インターバルの前記残りの期間にわたって連続的にＲＦエネルギを送信するステップをさらに含んでいる請求項６記載の方法。
【請求項９】
前記複数の通信チャンネルの第２の通信チャンネルによって前記時間インターバルの予め定められた１以上の期間にわたって連続的に前記ベースステーションへ情報信号を送信し、かつ前記第２の通信チャンネルによって前記時間インターバルの残りの期間にわたって連続的にＲＦエネルギを送信するように前記複数の通信装置の第２の通信装置に命令するステップと、
前記第２の通信装置から、前記命令するステップに応答して、前記第２の通信チャンネルによって前記時間インターバルの前記予め定められた１以上の期間にわたって連続的に前記ベースステーションへ前記情報信号を送信し、かつ前記第２の通信チャンネルによって前記時間インターバルの前記残りの期間にわたって連続的にＲＦエネルギを送信するステップであって、それによって前記干渉を連続的な送信により前記第２の通信装置の近くで減少させるステップとをさらに含んでいる請求項７記載の方法。
【請求項１０】
前記複数の通信チャンネルの１つによって前記時間インターバルの予め定められた１以上の期間にわたって連続的に前記ベースステーションへ情報信号を送信し、前記第２の通信チャンネルによって前記時間インターバルの残りの期間にわたって連続的にＲＦエネルギを送信するように前記複数の通信装置の第２の通信装置に命令するステップと、
前記第２の通信装置から、前記命令するステップに応答して、前記通信チャンネルの前記１つによって前記時間インターバルの前記予め定められた１以上の期間にわたって連続的に前記ベースステーションへ前記情報信号を送信し、かつ前記第２の通信チャンネルによって前記時間インターバルの前記残りの期間にわたって連続的にＲＦエネルギを送信するステップであって、それによって連続的な送信により前記干渉を前記第２の通信装置の近くにおいて減少させるステップとをさらに含んでいる請求項８記載の方法。
【請求項１１】
複数の通信チャンネルが時間インターバルのサイクルに分割されている時分割多元アクセス通信システムにおいて動作する通信装置において、前記通信システムは基地局を含み、
送信機と、
前記複数の通信チャンネルの第１の通信チャンネルによって前記時間インターバルの予め定められた１以上の期間にわたって連続的に専用モードにおいて情報信号を前記基地局へ送信し、かつ前記時間インターバルの残りの期間およびガード期間にわたって連続的にＲＦエネルギを送信するように前記送信機に命令する制御装置であって、前記ＲＦエネルギはメッセージを有していない信号で構成され、連続的な送信により干渉を前記通信装置の近くにおいて減少させている制御装置とを具備している通信装置。
【請求項１２】
前記制御装置は、前記第１の通信チャンネルによって前記時間インターバルの前記残りの期間にわたって連続的にＲＦエネルギを送信するように前記送信機に命令する請求項１１記載の通信装置。
【請求項１３】
前記制御装置は、前記複数の通信チャンネルの第２の通信チャンネルによって前記時間インターバルの前記残りの期間にわたって連続的にＲＦエネルギを送信するように前記送信機に命令する請求項１１記載の通信装置。
【請求項１４】
前記複数の通信チャンネルがスロットのサイクルに時間および周波数分割されているシステムにおいて、
前記命令する手段が、前記複数の通信チャンネルの第１の通信チャンネルの前記スロットの予め定められた１以上のスロットによって連続的に前記情報信号を前記ベースステーションへ送信し、かつ前記第１の通信チャンネルの前記スロットの残りのスロットによって連続的にＲＦエネルギを送信するように前記複数の通信装置の前記第１の通信装置に命令するように構成されていて、
前記第１の通信装置において、前記命令する手段に応答して、前記送信する手段が、前記第１の通信チャンネルの前記予め定められた１以上のスロットによって連続的に前記情報信号を前記ベースステーションへ送信し、かつ前記第１の通信チャンネルの前記スロットの前記残りのスロットによって連続的にＲＦエネルギを送信するように構成されている請求項１記載のシステム。
【請求項１５】
前記スロットのサイクルは８個のスロットからなり、前記８個のスロットはそれぞれ持続期間が約５７７マイクロ秒であり、周波数帯域幅が約２００キロヘルツである請求項１４記載のシステム。
【請求項１６】
前記第１の通信チャンネルは周波数が固定されており、前記複数の通信チャンネルの残りのチャンネルは周波数変動性である請求項１５記載のシステム。
【請求項１７】
前記複数の通信チャンネルはそれぞれ周波数変動性である請求項１５記載のシステム。
【請求項１８】
前記スロットのサイクルは６個のスロットからなり、前記６個のスロットはそれぞれ持続期間が約３．３３ミリ秒であり、周波数帯域幅が約３０キロヘルツである請求項１４記載のシステム。
【請求項１９】
前記第１の通信チャンネルは周波数が固定されている請求項１８記載のシステム。
【請求項２０】
前記複数の通信チャンネルはそれぞれ周波数が固定されている請求項１８記載のシステム。
【請求項２１】
前記複数の通信チャンネルの第２の通信チャンネルの前記スロットの予め定められた１以上のスロットによって連続的に前記ベースステーションへ情報信号を送信し、かつ前記第２の通信チャンネルの前記スロットの残りのスロットによって前記第２の通信チャンネルにより連続的にＲＦエネルギを送信するように前記複数の通信装置の第２の通信装置に命令する手段と、
前記第２の通信装置において、前記命令する手段に応答して、前記第２の通信チャンネルの前記予め定められた１以上のスロットによって連続的に前記ベースステーションへ前記情報信号を送信し、かつ前記第２の通信チャンネルの前記スロットの前記残りのスロットによって前記第２の通信チャンネルにより連続的にＲＦエネルギを送信する手段であって、それによって連続的な送信により前記干渉を前記第２の通信装置の近くにおいて減少させる手段とをさらに具備している請求項１４記載のシステム。
【請求項２２】
前記スロットのサイクルは８個のスロットからなり、前記８個のスロットはそれぞれ持続期間が約５７７マイクロ秒であり、周波数帯域幅が約２００キロヘルツである請求項２１記載のシステム。
【請求項２３】
前記第１および第２の通信チャンネルは周波数が固定されており、前記複数の通信チャンネルの残りのチャンネルは周波数変動性である請求項２２記載のシステム。
【請求項２４】
前記複数の通信チャンネルはそれぞれ周波数変動性である請求項２２記載のシステム。
【請求項２５】
前記スロットのサイクルは６個のスロットからなり、前記６個のスロットはそれぞれ持続期間が約３．３３ミリ秒であり、周波数帯域幅が約３０キロヘルツである請求項２１記載のシステム。
【請求項２６】
前記第１および第２の通信チャンネルは周波数が固定されている請求項２５記載のシステム。
【請求項２７】
前記複数の通信チャンネルはそれぞれ周波数が固定されている請求項２５記載のシステム。
【請求項２８】
前記複数の通信チャンネルがスロットのサイクルに時間および周波数分割されているシステムにおいて、
前記命令する手段が、前記第１の通信チャンネルに対応する、前記複数の通信チャンネルの主通信チャンネルの前記スロットの予め定められた１以上のスロットによって連続的に前記ベースステーションへ前記情報信号を送信し、かつ前記複数の通信チャンネルの補助通信チャンネルの前記スロットの残りのスロットによって連続的にＲＦエネルギを送信するように前記複数の通信装置の前記第１の通信装置に命令するように構成されていて、
前記第１の通信装置において、前記命令する手段に応答して、前記送信する手段が、前記主通信チャンネルの前記スロットの前記予め定められた１以上のスロットによって連続的に前記情報信号を前記ベースステーションへ送信し、かつ前記補助通信チャンネルの前記スロットの残りのスロットによって連続的にＲＦエネルギを送信するように構成されていて、それによって連続的な送信により前記干渉を前記第１の通信装置の近くにおいて減少させる請求項１記載のシステム。
【請求項２９】
前記スロットのサイクルは８個のスロットからなり、前記８個のスロットはそれぞれ持続期間が約５７７マイクロ秒であり、周波数帯域幅が約２００キロヘルツである請求項２８記載のシステム。
【請求項３０】
前記補助通信チャンネルは周波数が固定されており、前記複数の通信チャンネルの残りのチャンネルは周波数変動性である請求項２９記載のシステム。
【請求項３１】
前記複数の通信チャンネルはそれぞれ周波数変動性である請求項２９記載のシステム。
【請求項３２】
前記スロットのサイクルは６個のスロットからなり、前記６個のスロットはそれぞれ持続期間が約３．３３ミリ秒であり、周波数帯域幅が約３０キロヘルツである請求項２８記載のシステム。
【請求項３３】
前記補助通信チャンネルは周波数が固定されている請求項３２記載のシステム。
【請求項３４】
前記複数の通信チャンネルはそれぞれ周波数が固定されている請求項３２記載のシステム。
【請求項３５】
前記複数の通信チャンネルの１つの前記スロットの予め定められた１以上のスロットによって連続的に前記ベースステーションへ情報信号を送信し、かつ前記補助通信チャンネルの前記スロットの残りのスロットによって連続的にＲＦエネルギを送信するように前記複数の通信装置の第２の通信装置に命令する手段と、
前記第２の通信装置において、前記命令する手段に応答して、前記通信チャンネルの前記１つの前記予め定められた１以上のスロットによって連続的に前記ベースステーションへ前記情報信号を送信し、かつ前記補助通信チャンネルのスロットの前記残りのスロットによって連続的にＲＦエネルギを送信する手段とをさらに具備し、それによって連続的な送信により前記干渉を前記第２の通信装置の近くにおいて減少させている請求項２８記載のシステム。
【請求項３６】
前記スロットのサイクルは８個のスロットからなり、前記８個のスロットはそれぞれ持続期間が約５７７マイクロ秒であり、周波数帯域幅が約２００キロヘルツである請求項３５記載のシステム。
【請求項３７】
前記補助通信チャンネルは周波数が固定されており、前記複数の通信チャンネルの残りのチャンネルは周波数変動性である請求項３６記載のシステム。
【請求項３８】
前記複数の通信チャンネルはそれぞれ周波数変動性である請求項３６記載のシステム。
【請求項３９】
前記スロットのサイクルは６個のスロットからなり、前記６個のスロットはそれぞれ持続期間が約３．３３ミリ秒であり、周波数帯域幅が約３０キロヘルツである請求項３５記載のシステム。
【請求項４０】
前記補助通信チャンネルは周波数が固定されている請求項３９記載のシステム。
【請求項４１】
前記複数の通信チャンネルはそれぞれ周波数が固定されている請求項３９記載のシステム。
【請求項４２】
前記複数の通信チャンネルがスロットのサイクルに時間および周波数分割されている通信装置において、
前記制御装置が、前記複数の通信チャンネルの前記第１の通信チャンネルの前記スロットの予め定められた１以上のスロットによって前記ベースステーションへ連続的に前記情報信号を送信し、かつ前記第１の通信チャンネルの前記スロットの残りのスロットによって連続的にＲＦエネルギを送信するように前記送信機に命令するように構成されている請求項１１記載の通信装置。
【請求項４３】
前記スロットのサイクルは８個のスロットからなり、前記８個のスロットはそれぞれ持続期間が約５７７マイクロ秒であり、周波数帯域幅が約２００キロヘルツである請求項４２記載の通信装置。
【請求項４４】
前記第１の通信チャンネルは周波数が固定されており、前記複数の通信チャンネルの残りのチャンネルは周波数変動性である請求項４３記載の通信装置。
【請求項４５】
前記複数の通信チャンネルはそれぞれ周波数変動性である請求項４３記載の通信装置。
【請求項４６】
前記スロットのサイクルは６個のスロットからなり、前記６個のスロットはそれぞれ持続期間が約３．３３ミリ秒であり、周波数帯域幅が約３０キロヘルツである請求項４２記載の通信装置。
【請求項４７】
前記第１の通信チャンネルは周波数が固定されている請求項４６記載の通信装置。
【請求項４８】
前記複数の通信チャンネルはそれぞれ周波数が固定されている請求項４６記載の通信装置。
【請求項４９】
前記複数の通信チャンネルがスロットのサイクルに時間および周波数分割されている通信装置において、
前記制御装置が、前記第１の通信チャンネルに対応する、前記複数の通信チャンネルの主通信チャンネルの前記スロットの予め定められた１以上のスロットによって連続的に前記ベースステーションへ前記情報信号を送信し、かつ前記複数の通信チャンネルの補助通信チャンネルの前記スロットの残りのスロットによって連続的にＲＦエネルギを送信するように前記送信機に命令するように構成されている請求項１１記載の通信装置。
【請求項５０】
前記スロットのサイクルは８個のスロットからなり、前記８個のスロットはそれぞれ持続期間が約５７７マイクロ秒であり、周波数帯域幅が約２００キロヘルツである請求項４９記載の通信装置。
【請求項５１】
前記補助通信チャンネルは周波数が固定されており、前記複数の通信チャンネルの残りのチャンネルは周波数変動性である請求項５０記載の通信装置。
【請求項５２】
前記複数の通信チャンネルはそれぞれ周波数変動性である請求項５０記載の通信装置。
【請求項５３】
前記スロットのサイクルは６個のスロットからなり、前記６個のスロットはそれぞれ持続期間が約３．３３ミリ秒であり、周波数帯域幅が約３０キロヘルツである請求項４９記載の通信装置。
【請求項５４】
前記補助通信チャンネルは周波数が固定されている請求項５３記載の通信装置。
【請求項５５】
前記複数の通信チャンネルはそれぞれ周波数が固定されている請求項５３記載の通信装置。
【請求項５６】
前記複数の通信チャンネルがスロットのサイクルに時間および周波数分割されているシステムにおいて、各時間スロットはガード期間を含み、
前記命令する手段が、前記第１の通信チャンネルに対応する、前記複数の通信チャンネルの主通信チャンネルの前記スロットの予め定められた１以上のスロットによって連続的に前記ベースステーションへ前記情報信号を送信し、かつ、前記複数の通信チャンネルの補助通信チャンネルの前記スロットの残りのスロットによって連続的にＲＦエネルギを送信するように前記複数の通信装置の前記第１の通信装置に命令するように構成されていて、
前記第１の通信装置中において、前記命令する手段に応答して、前記送信する手段が、前記主通信チャンネルの前記スロットの前記予め定められた１以上のスロットによって連続的に前記ベースステーションへ前記情報信号を送信し、かつ、前記補助通信チャンネルの前記スロットの残りのスロットおよび前記ガード期間によって連続的にＲＦエネルギを送信するように構成されていて、前記ＲＦエネルギはメッセージを有していない信号で構成され、それにより連続的な送信により前記干渉を前記第１の通信装置の近くにおいて減少させ、
システムはさらに、前記複数の通信チャンネルの１つの通信チャンネルの前記スロットの予め定められた１以上のスロットによって連続的に前記ベースステーションへ情報信号を送信し、かつ、前記補助通信チャンネルの前記スロットの残りのスロットおよび前記ガード期間によって連続的にＲＦエネルギを送信し、前記第１および第２の通信装置から送信される前記ＲＦエネルギが前記補助通信チャンネルを共用するように前記複数の通信装置の第２の通信装置に命令する手段と、
前記第２の通信装置において、前記命令する手段に応答して、前記通信チャンネルの前記１つの通信チャンネルの前記予め定められた１以上のスロットによって連続的に前記ベースステーションへ前記情報信号を送信し、かつ、前記補助通信チャンネルのスロットの前記残りのスロットによって連続的にＲＦエネルギを送信し、それによって連続的な送信により前記干渉を前記第２の通信装置の近くにおいて減少させる手段とを具備している請求項１記載のシステム。
【発明の詳細な説明】
発明の背景
Ｉ．発明の分野
本発明は、一般に無線通信システムに関する。とくに、本発明はデジタル通信装置によって生成された干渉を減少させる新しいシステムおよび方法に関する。
II．関連技術の説明
技術的によく知られている時分割多元アクセス（ＴＤＭＡ）セルラー通信システムにおいて、利用可能な周波数スペクトルは、それぞれ所定の帯域幅の予め定められた数の無線周波数チャンネルに分割される。各無線周波数チャンネルは、ＴＤＭＡフレームのサイクルに時分割され、各フレームはさらに予め定められた数の、“スロット”と呼ばれている時間インターバルのサイクルに時分割される。したがって、１つのスロットは、予め定められた無線周波数チャンネル上の有限の時間期間を表している。無線インターフェースによる通信は、これらのスロット中に“バースト”と呼ばれる変調されたビットのグループで１スロット当たり１バーストで発生する。“ノーマルバースト”は、短い“ガード期間”が先行および後続する有効情報のビットのパケットを含んでおり、このガード期間中は、通常は有効情報は伝送されない。このガード期間は、それが情報ビットの伝送の前にオンになり、情報ビットの伝送の後にオフになるため、送信機の電力の傾斜した上昇（ramping）を可能にする。
上記で使用した“チャンネル”という用語は特定の固定した無線周波数帯域幅に対応するが、もっと一般的な場合、すなわちＴＤＭＡベースの自動車無線用グローバルシステム（ＧＳＭ）のような周波数変動システムでは、“チャンネル”は時間的な成分も有していることに留意すべきである。換言すると、単一の機能に専用の“チャンネル”（トラフィックチャンネル）は、異なる時間に異なる周波数を占有する可能性のあるスロットの連続である。以下、“チャンネル”という用語をこのより一般的な機能的な意味で使用する。
通信システム中の所定の加入者ステーションが、呼設定中や、あるいはベースステーションへの位置更新を実行しているとき等の専用モードに入ったとき、それは一般に、ノーマルバーストのシーケンスにパッケージ化されているその情報を伝送するための伝送チャンネルの特定のスロットに割当られる。したがって、所定のセル中の多数の加入者ステーションが単一のチャンネルによって伝送を行うかもしれないが（少なくともフレーム中のスロットの数によって制限される）、各ユーザからの個々のノーマルバーストは、それらの対応したスロットに時分割多重化される。たとえば、所定の伝送チャンネルのフレーム中の第１のスロットに割当られた加入者ステーションは、通常各フレームの第１のスロット中でのみ伝送を行い、その他の場合は、その伝送チャンネルフレームのスロットの残りのものにそれぞれ割当られた加入者ステーションのバースト伝送との干渉を避けるために、その送信機はオフにされたままである。したがって、第１のスロットに割当られた加入者ステーションは、第１のスロットの始めのガード期間中にその送信機をオンにし、その第１のスロット中に有効情報ビットのパッケージを伝送し、第１のスロットの終わりのガード期間中にその送信機をオフにし、またそのフレームのその他全てのスロット中、その送信機はオフにされたままである。同様に、そのフレームの第２のスロットに割当られた加入者ステーションは、第２のスロットの始めのガード期間中にその送信機をオンにし、その第２のスロット中に有効情報ビットのパッケージを伝送し、第２のスロットの終わりのガード期間中にその送信機をオフにし、またそのフレームのその他全てのスロット中、その送信機はオフにされたままである。
加入者ステーションの送信機のこの周期的なオン／オフスイッチングによって、とくに近くの電子装置の動作を妨害することのできる送信信号が生成される。このオン／オフスイッチングが送信されたＲＦエネルギの振幅を変調するため、このようなオン／オフスイッチングによって引き起こされた干渉を“振幅変調干渉”または単に“ＡＭ干渉”と呼ぶ。たとえば、全欧州ＧＳＭセルラーシステムでは、各フレームは４．６１５ミリ秒の持続期間を有し、各持続期間が５７７μ秒の８個のスロットに分割される。各フレームの同一スロット中に伝送すると、加入者ステーションのバースト反復率が結果的に２１６．６Ｈｚ（すなわち、１／４．６１５ミリ秒）となる。このバースト反復率はオーディオ周波数範囲内であるため、ＡＭ検出器として動作する可能性のある回路を含む別の電子装置が存在する場合に望ましくない。たとえば、ＧＳＭ加入者ステーションがステレオシステムの付近で動作された場合、そのバースト反復率はスピーカから現れた騒音（バズ）として聞こえる可能性がある。
別のＴＤＭＡベースのデジタル通信システムは、異なるフレーム長と、１フレーム当たり異なる数のスロットとを使用することに留意すべきである。たとえば、米国電気通信工業会（ＴＩＡ）／電子機械工業会（ＥＩＡ）の暫定標準規格５４−Ｂ（ＩＳ−５４−Ｂ）に記載されている米国のＴＤＭＡセルラー通信システムは、それぞれ６個のスロットに分割されている２０ｍ秒の周期的なＴＤＭＡフレーム長を使用している。また、高帯域幅信号に対して、ＴＤＭＡシステムは、その高速信号に適合するために１フレーム当たり２以上のスロットを単一の加入者ステーションに割当てる可能性があることに留意すべきである。しかしながら、これらのシステムは依然として、周辺電子装置において実質的な干渉を生じさせる可能性のあるオーディオ周波数範囲のバースト反復率を使用している。
補聴器および心臓のペースメーカーのような多数の電子装置はまた、このようなパルス化された送信からの干渉による妨害を受けやすい。とくに、補聴器は高感度のＡＭ検出器であることが認められており、著しく高いオーディオ利得を提供するように設計されている。そのように機能のために、補聴器をＧＳＭその他ＴＤＭＡタイプのユーザ通信装置の近くで動作した場合、著しい干渉を招く可能性がある。事実、補聴器装着者の耳の中における音声干渉または“騒音（バズ）”のレベルは、発呼者の声の音をかき消すのに十分なことがあり、補聴器装着者によるＴＤＭＡ加入者ステーションの実効的な使用を妨げている。
したがって、本発明の目的は、周辺電子装置によるＡＭ干渉の可能性を最少にする多元アクセス通信システムのための送信方式を提供することである。
発明の概要
本発明は、デジタル無線通信システムにおける周期的な送信に関連して生じる望ましくないＡＭ干渉を減少させるシステムおよび方法に関する。本発明は、ＧＳＭのような時分割多元アクセス通信システムにおける特定の用途に使用される。
本発明の第１の実施形態において、干渉が減少されたモードで動作する第１の加入者ステーションは、平常状態では第１の伝送チャンネルの各フレームのスロットを全て割当てられる。ＲＦエネルギを各スロットのガード期間中でさえ実質的に連続して送信することにより、加入者ステーションはパルス化された送信から生じるＡＭ干渉を実質的に除去することができる。第２の加入者ステーションは、第１の実施形態の干渉が減少されたモードで動作するように同様に配置されてもよい。とくに、第２の加入者ステーションは、通常は第２の伝送チャンネルの各フレームのスロットを全て割当てられる。
本発明の第２の実施形態において、第１の加入者ステーションは正常な状態では、有効な情報の通常の伝送用の第１の送信チャンネルの各フレームの１以上のスロットを割当られ、この第１の送信チャンネルを“主”チャンネルと呼ぶ。しかしながら、従来技術とは対照的に、第１の加入者ステーションはまた、割当られた主チャンネルスロット中以外のときに“補助”チャンネルによってＲＦエネルギを連続的に送信するように命令される。第１の加入者ステーションは、補助チャンネル周波数に再同調し、あるいは主チャンネル周波数に戻りながらその送信機をオフにしない。このやり方において、第１の加入者ステーションの近くで生成されたＡＭ干渉のレベルは、ＲＦエネルギが第１の加入者ステーションにより各スロットのガード期間中でさえ実質的に連続して伝送されるために減少される。第２の加入者ステーションは、第２の実施形態の干渉が減少されたモードで動作するように同様に配置されてもよい。とくに、第２の加入者ステーションは正常の状態では有効情報の通常の伝送用の主チャンネルの各フレームの１以上のスロットを割当てられ、それはまた割当られた主チャンネルスロット中以外のときに補助チャンネルによってＲＦエネルギを連続的に送信するように命令される。同様に、第２の加入者ステーションは補助チャンネル周波数に再同調し、あるいは主チャンネル周波数に戻り、その送信機をオフにしない。
第２の実施形態において認められるように、２以上の加入者ステーションは、干渉が減少されたモード動作中補助チャンネルを同時に使用してもよい。多数のこのような加入者ステーションが干渉が減少されたモードで同時に動作している場合、補助チャンネルは、干渉された伝送でいっぱいであることがただちに明らかとなる。このために、補助チャンネルは、これらの“不要の（junk）”伝送が、別のチャンネル上を伝送されている情報を干渉しないように選択される。
本発明は、移動ステーションが別のアイドルモード（すなわち、放送情報用の制御チャンネルを単に監視している）のときではなく、加入者ステーションが専用モードのあいだ（すなわち、呼設定中や、位置更新を実行している時）のみ、加入者ステーションがフレームの各スロットでＲＦエネルギを伝送することを意図していることに留意しなければならない。しかしながら、この制限は、ＡＭ干渉の減少のために厳しく要求されるものではない。
【図面の簡単な説明】
本発明の特徴、目的および利点は、以下の詳細な説明、および同じ参照符号が一貫して対応的に示している図面からさらに明らかになるであろう。
図１は、Ａ，Ｂ，Ｃでそれぞれ示された例示的なセルラー移動無線システムの３つのセルを示す。
図２は、図１のセルラー移動無線システムのための例示的なＴＤＭＡ時間／周波数割当て方式を示す。
図３は、干渉が減少された動作モードにおけるデジタル通信チャンネルによる通信のために配置された加入者ステーションのブロック図である。
図４は、図１のセルラー移動無線システムの動作のために設計されたベースステーションを示す。
好ましい実施形態の詳細な説明
図１は、Ａ，Ｂ，Ｃでそれぞれ示された例示的なセルラー移動無線システム10の３つのセルを示す。各セルＡ，ＢおよびＣに対して、ベースステーションＢA，ＢB，ＢCがそれぞれ関係している。説明のために、３つの加入者ステーションＭA0，ＭA1およびＭA2と通信しているベースステーションＢAが示されており、これらの各加入者ステーションはベースステーションＢAのセル境界内に配置されている。１つの加入者ステーションＭB0と通信しているベースステーションＢBが示されており、この加入者ステーションはベースステーションＢBのセル境界内に配置されている。同様に、１つの加入者ステーションＭC0と通信しているベースステーションＢCが示されており、この加入者ステーションはベースステーションＢCのセル境界内に配置されている。図１には、ベースステーション制御装置（ＢＳＣ）もまた示されている。図１のＢＳＣは、ケーブル11乃至13によって３つのベースステーションＢA，ＢB，ＢCの全てに接続されている。さらに、ＢＳＣはケーブル（示されていない）によって移動交換局（ＭＳＣ）に接続されており、この交換局は、公衆交換電話網（ＰＳＴＮ）またはその等価なものへのアクセスポイントとして機能する。本発明は、ＰＣＳまたは無線ローカルループシステムのような非セルラーＴＤＭＡ通信システムにも適用可能であることに留意すべきである。そのような機能において、加入者ステーションは固定、移動またはポータブルのいずれのタイプの遠隔通信装置であってもよい。しかしながら、説明のためには、移動体装置がセルラー動作用に構成されている３つのセルＡ，Ｂ，Ｃのセルラーシステムを参照することで十分である。
図１のセル無線システム10は複数の無線周波数にわたって通信を行うように設計されている。ベースステーションＢA、ＢB、ＢCのうちの１つの例示的なＴＤＭＡ時間／周波数割当方式が図２に示されている。図２では４つの逆方向リンク（移動体からベースステーションへ）の搬送波周波数Ｒと、４つの順方向リンク（ベースステーションから移動体へ）の搬送波周波数Ｆが示されており、それぞれ２００ＫＨｚの搬送波間隔を有する。逆方向リンクの搬送波周波数は８９０．２〜８９０．８ＭＨｚであり、順方向リンクの搬送波周波数はそれぞれ９３５．２〜９３５．８ＭＨｚである。時間軸に沿って、ＴＤＭＡフレームのサイクルはフレーム０とフレーム１により表されており、ここで５７７μｓの各継続時間はさらにＴＮ０〜ＴＮ７の時間インターバル番号（ＴＮ）により限定されている。搬送波周波数８９０．２ＭＨｚと時間インターバルＴＮ０〜ＴＮ７により定められる逆方向リンク上のスロットサイクルはそれぞれＲ0,0〜Ｒ0,7と符号が付けられている。同様に、搬送波周波数９３５．２ＭＨｚと時間インターバルＴＮ０〜ＴＮ７により定められる順方向リンク上のスロットサイクルはそれぞれＦ0,0〜Ｆ0,7と符号が付けられている。図２の例示的なＴＤＭＡ時間／周波数割当はＧＳＭシステムと非常に類似しているが、その方法は１フレーム当たりより多数またはより少数のスロットと、異なった搬送波周波数間隔を有する他のＴＤＭＡシステムへ応用可能であることに留意すべきである。例えば、TIA/EIA/IS-54-Bに記載されている米国のＴＤＭＡシステムは１ＴＤＭＡフレーム当たり６つのスロットと、３０ＫＨｚの搬送波周波数間隔を使用している。
従来技術のＴＤＭＡシステムでは、ＭA0（図１参照）等の所定の移動体装置は、逆方向リンクチャンネルの各フレームの１以上の割当てられたスロットにおいて、ノーマル情報バーストをそれに対応するベースステーションＢAへ送信する。例えば、逆方向リンクチャンネルが周波数を固定されているＴＤＭＡシステムでは、移動体装置ＭA0は、ＭA0が専用モードであるとき各スロットのインデックスＲ0,0でノーマルバーストを送信するように割当てられることができる。同様に、ベースステーションＢAと通信する第２の移動体装置ＭA1は、ＭA1が専用モードであるとき各スロットのインデックスＲ0,1でノーマルバーストを送信するように割当てられることができる。第３の移動体装置ＭA2は、各スロットのインデックスＲ1,0等の異なった搬送波周波数に関連するスロットでノーマルバーストを送信するように割当てられることができる。関連して、ＭA0は、各順方向チャンネルスロットのインデックスＦ0,0でベースステーションＢAにおいて送信されるバーストを受信するように割当てられる。同様に、ＭA1は、各順方向チャンネルスロットのインデックスＦ0,1により送信されるバーストを受信するように割当てられ、ＭA2は、各順方向チャンネルスロットのインデックスＦ1,0において別の搬送波周波数でベースステーションＢAにより送信されるバーストを受信するように割当てられる。
ＧＳＭ等のより一般的な周波数変動ＴＤＭＡシステムの場合、移動体装置ＭA0は逆方向リンクチャンネルの各フレームにおける１つの割当てられたスロットでノーマル情報バーストをそれに対応するベースステーションＢAに送信する。しかしながら、逆方向リンクチャンネルは周波数が固定されないので、ＭA0は各スロットインデックスＲH,0でノーマルバーストを送信するように割当てられ、ここでＨは特定の逆方向リンクチャンネルの周波数ホッピング方式のホッピングシーケンス数（number）に対応する。したがって、例示的な４フレームの周期的なホッピングシーケンス｛０，１，２，３｝では、ＭA0はフレーム０のスロットＲ0,0、フレーム１のスロットＲ1,0、フレーム２のスロットＲ2,0、フレーム３のスロットＲ3,0でノーマルバーストを送信する。移動体装置ＭA1は同様に、フレーム０のスロットＲ0,1、フレーム１のスロットＲ1,1、フレーム２のスロットＲ2,1、フレーム３のスロットＲ3,1でノーマルバーストを送信する。移動体装置ＭA2により使用される逆方向リンクチャンネルは異なったホッピングシーケンス、例えば｛１，２，３，０｝を有する。このような場合、ＭA2はフレーム０のスロットＲ1,0、フレーム１のスロットＲ2,0、フレーム２のスロットＲ3,0、フレーム３のスロットＲ0,0でノーマルバーストを送信する。
前述した一般的な従来技術のＴＤＭＡシステムでは、移動体装置ＭA0、ＭA1、ＭA2は各割り当てられたスロットの短いガード期間、および各フレームのその他の全ての期間ＴＮ０〜ＴＮ７中にはそれらの送信機をオフにしており、それによって他のチャンネル上の通信に対する干渉を防止する。先に説明したように、この周期的なバーストのパルス送信は不所望のＡＭ干渉を生じる。本発明では、このようなＡＭ等の干渉を、ＲＦエネルギを実質的に連続的に送信することによって除去する。
本発明の第１の実施形態では、１以上の移動体装置ＭA0、ＭA1、ＭA2が以下説明するように構成され、それによって移動体装置は所定の逆方向リンクチャンネルの各フレームの各スロットを通じて、連続的にＲＦエネルギを送信するように割当てられている干渉が減少されたモードで動作する。即ち、干渉が減少されたモードで動作する期間では、移動体装置は排他的に使用するための専用チャンネルが割当てられている。例えば、ＭA0が干渉が減少されたモードで動作するように構成されていると想定する。前述した固定周波数チャンネルＴＤＭＡシステムでは、ＭA0は各フレームの各スロットＲ0,0〜Ｒ0,7で連続的に送信するように指令されている。このような固定周波数チャンネルシステムでは、ＭA0により同一搬送波周波数で同時的に送信することによって干渉が生じるために、ＭA1もＭA2もスロットインデックスＲ0,xでベースステーションＢAと有効に通信することができない。このように、セルＡ中の全ての他の移動体装置は残りの搬送波周波数、ここでは８９０．４ＭＨｚ〜８９０．８ＭＨｚのうちそれぞれ１つの割当てられたスロットで送信するように限定される。
第２の移動体装置ＭA1もＭA0と同時に干渉が減少されたモードで動作するように割当てられたならば、ＭA1は例えば各フレームの各スロットＲ1,0〜Ｒ1,7等でＭA0とは別の搬送波周波数の各フレームの全てのスロットで連続的に送信するように指令される。セルＡの残りの移動体装置は、したがって残りの搬送波周波数、ここでは８９０．６ＭＨｚ〜８９０．８ＭＨｚのうちのそれぞれ１つの割当てられたスロットで送信するように限定される。
周波数変動の逆方向リンクチャンネルを有するＴＤＭＡシステムでは、本発明の第１の実施形態は少なくとも２つの方法で構成されることができる。第１の方法では、専用チャンネルが周波数を固定され、残りのチャンネルは周波数が変動し、第２の方法では、専用のチャンネルも周波数変動である。
専用のチャンネルが周波数を固定されているならば、干渉が減少されたモードで動作する各移動体装置は、説明した固定周波数チャンネルＴＤＭＡシステムのように専用の搬送波周波数を割当てられ、そのセルの全ての他の移動体装置は残りの搬送波周波数の中で１フレーム当たりを基礎として周波数ホップを継続する。この第１の周波数変動構成では、所定の逆方向リンクチャンネルのホッピングシーケンスは、干渉が減少されたモードで動作する移動体装置の専用の搬送波周波数に対するホップを減少するために変更される。例えば、逆方向リンク搬送波周波数Ｒ0（８９０．２ＭＨｚ）が、干渉が減少されたモードで動作し、各フレームの各スロットＲ0,0〜Ｒ0,7で送信する移動体装置ＭA0に専用の周波数であるならば、移動体装置ＭA1、ＭA2は例えば｛１，２，３｝の３フレーム循環ホッピングシーケンスを有する逆方向リンクチャンネルに対して割当てられ、それによって移動体装置ＭA0の専用でありながら周波数Ｒ0へのホップを除去する。
専用チャンネルが周波数変動であるならば、干渉が減少されたモードで動作する各移動体装置は前述のように割当てられた周波数の所定のフレームの各スロットで連続的に送信する。しかしながら、干渉が減少されたモードで動作する移動体装置はそのセルで通信する残りの移動体装置と共にフレーム当たりのベースで周波数ホップを継続する。例えば、干渉が減少されたモードで動作する移動体装置ＭA0は、４フレーム循環ホッピングシーケンス｛０，１，２，３｝を有する所定の逆方向リンクチャンネルの各フレームの各スロットで連続的に送信するように割当てられている。ＭA0はフレーム０のスロットＲ0,0〜Ｒ0,7、フレーム１のスロットＲ1,0〜Ｒ1,7、フレーム２のスロットＲ2,0〜Ｒ2,7、フレーム３のスロットＲ3,0〜Ｒ3,7で連続的に送信する。この第２の周波数変動構成はチャンネルのホッピングシーケンスを変更する必要性を除去する。したがって移動体装置ＭA1、ＭA2は例えば４フレーム循環ホッピングシーケンス{１，２，３，０｝を有する所定の逆方向リンクチャンネルに割当てられる。専用のチャンネルが周波数変動であるならば、移動体装置はその送信機をホッピングシーケンスの次の周波数へ再度同調したとき、ＲＦエネルギを送信し続けることに注意しなければならない。
この第１の実施形態の全ての構造では、移動体装置は干渉が減少されたモードで動作しながら、排他的な専用の送信チャンネルを割当てられる。しかしながら、ＴＤＭＡシステムの一般的な循環タイミング方式を維持する構造では、専用チャンネルの各フレームのスロットのサブセットのみが有用な情報を含むことを必要とする。例えば、移動体装置はその割当てられたスロット期間中に有効な情報を送信し、その他の場合には専用チャンネルの残りのスロットを通じて変調されていない搬送波を送信する。このような構造では、ベースステーションは有用な情報を含んでいるスロット中に専用のチャンネルへ受信機を同調することだけを必要とする。その代わりに、移動体装置はフレームの各スロットで１度、同一情報を繰返した情報を送信する。さらに別の例では、移動体装置は専用の送信チャンネルの各フレームの各スロットで、繰返しではない有用な情報を送信する。前述の各例では、干渉が減少されたモードで動作する移動体装置は、通常の各バーストを囲むガード期間でさえもＲＦエネルギを連続的に送信している。
本発明の第２の実施形態では、１以上の移動体装置ＭA0、ＭA1、ＭA2が干渉の減少されたモードで動作するように構成され、移動体装置は所定の逆方向リンクチャンネルの各フレームの１以上のスロットで有効な情報を送信するように指令される。この“主”チャンネルに関して、干渉が減少されたモードで動作する移動体装置は従来技術のＴＤＭＡシステムの一般的な移動体装置に類似している。しかしながら通常の従来技術のＴＤＭＡシステムとは対照的に、第２の実施形態で干渉が減少されたモードで動作する移動体装置はまた、その主チャンネルに割当てられているスロットに関連されない全ての時間インターバルＴＮ０〜ＴＮ７を通じて“補助”チャンネル上で送信する。付加的に、それぞれの干渉が減少されたモードの移動体装置には排他的な専用の送信チャンネルが割当てられ、その送信チャンネルにより送信する本発明の第１の実施形態と対照的に、補助チャンネルが干渉が減少されたモードの２以上の移動体装置により同時に共有される。
例えば、ＭA0、ＭA1の両者は干渉が減少されたモードで動作するように構成され、搬送波周波数Ｒ0の各フレームの全てのスロットＲ0,0〜Ｒ0,7により限定される固定周波数の逆方向リンクチャンネルは補助チャンネルとして保留されてもよい。この場合、ＭA0、ＭA1は残りの搬送波周波数のスロットの中に存在する主チャンネルを割当てられる。例えば、固定周波数チャンネルＴＤＭＡシステムでは、ＭA0は各フレームの各スロットインデックスＲ1,0で有用な情報を送信するように割当てられ、ＭA1は各フレームの各スロットインデックスＲ1,1で有用な情報を送信するように割当てられる。このような場合、ＭA0はまた補助チャンネルの各スロットインデックスＲ0,0〜Ｒ0,7で連続的に送信するように送信機を再同調する。同様に、ＭA1は補助チャンネルの各スロットインデックスＲ0,0とＲ0,2〜Ｒ0,7で連続的に送信するように送信機を再同調する。ＭA0、ＭA1の両者は各スロットインデックスＲ0,2〜Ｒ0,7で同時に送信していることに留意すべきである。各移動体装置はその送信機を補助チャンネル周波数に再同調するか、または主チャンネル周波数に戻すときＲＦエネルギを送信し続ける。
周波数変動逆方向リンクチャンネルを有するＴＤＭＡシステムでは、本発明の第２の実施形態は第１の実施形態と類似して少なくとも２つの方法で実行されることができる。即ち、第１の方法では補助チャンネルは周波数で固定され、残りのチャンネルが周波数変動であり、第２の方法では補助チャンネルも周波数変動である。
補助チャンネルが周波数を固定されているならば、搬送波周波数Ｒ0の各フレームの全てのスロットＲ0,0〜Ｒ0,7により限定される固定周波数逆方向リンクチャンネルは補助チャンネルとして保留されてもよい。干渉が減少されたモードで動作する移動体装置ＭA0は、時間インターバルＴＮ０と３フレーム循環ホッピングシーケンス｛１，２，３｝により限定される主チャンネルで送信するように割当てられることができる。同様に、干渉が減少されたモードで動作する移動体装置ＭA1は時間インターバルＴＮ１と３フレーム循環ホッピングシーケンス｛１，２，３｝により限定される主チャンネルで送信するように割当てられる。しかしながらＭA0、ＭA1の両者はそれぞれの主チャンネルに関連しない全ての時間インターバルを通じて補助チャンネルで連続的に送信する。さらに詳細に説明すると、移動体装置ＭA0は、フレーム０のスロットＲ1,0とＲ0,1〜Ｒ0,7、フレーム１のスロットＲ2,0とＲ0,1〜Ｒ0,7、フレーム２のスロットＲ3,0とＲ0,1〜Ｒ0,7で連続的に送信する。同様に移動体装置ＭA1は、フレーム０のスロットＲ0,0とＲ1,1、Ｒ0,2〜Ｒ0,7、フレーム１のスロットＲ0,0とＲ2,1、Ｒ0,2〜Ｒ0,7、フレーム２のスロットＲ0,0とＲ3,1、Ｒ0,2〜Ｒ0,7で連続的に送信する。ＭA0、ＭA1の両者は各スロットインデックスＲ0,2〜Ｒ0,7で同時に送信していることに再度留意すべきである。
補助チャンネルが周波数変動である場合、これは全ての時間インターバルＴＮ０〜ＴＮ７と４フレーム循環ホッピングシーケンス｛０，１，２，３｝により限定されてもよい。干渉が減少されたモードで動作する移動体装置ＭA0は時間インターバルＴＮ０と４フレーム循環ホッピングシーケンス｛１，２，３，０｝により限定される主チャンネルで送信するように割当てられてもよい。同様に、干渉が減少されたモードで動作する移動体装置ＭA1は、時間インターバルＴＮ１と４フレーム循環ホッピングシーケンス｛１，２，３，０｝により限定される主チャンネルで送信するように割当てられる。詳しく説明すると、移動体装置ＭA0は、フレーム０のスロットＲ1,0とＲ0.1〜Ｒ0,7、フレーム１のスロットＲ2,0とＲ1,1〜Ｒ1,7、フレーム２のスロットＲ3,0とＲ2,1〜Ｒ2,7、フレーム３のスロットＲ0,0とＲ3,1〜Ｒ3,7で送信する。同様に、移動体装置ＭA1は、フレーム０のスロットＲ0,0とＲ1,1、Ｒ0,2〜Ｒ0,7、フレーム１のスロットＲ1,0とＲ2,1、Ｒ1,2〜Ｒ1,7、フレーム２のスロットＲ2,0とＲ3,1、Ｒ2,2〜Ｒ2,7、フレーム３のスロットＲ3,0とＲ0,1、Ｒ3,2〜Ｒ3,7で送信する。ＭA0、ＭA1の両者は時間インターバルＴＮ２〜ＴＮ７を通して補助チャンネルで同時に送信していることに留意すべきである。移動体装置はその送信機をホッピングシーケンスにおける次の周波数へ再同調するときＲＦエネルギを送信し続ける。
この第２の実施形態は、多数の移動体装置による補助チャンネルの共有のために周波数スペクトルをより効率的に使用する。しかしながら、干渉が減少されたモードで動作している移動体装置がただ１つだけしか存在しない場合（即ち補助チャンネルがまだ共有されていない）、第２の実施形態は重要な特徴において第１の実施形態と異なっていることに留意すべきである。特に、第１の実施形態では、少なくとも１つの専用チャンネルのスロットはベースステーションにより適切に復調するための有用な情報を含んでいる。しかしながら第２の実施形態では、有用な情報を含む必要がある補助チャンネルのスロットは存在しない。このようにベースステーションはいつでも受信機を補助チャンネルに同調する必要はない。したがって補助チャンネルは逆方向リンク通信チャンネルとしてベースステーションに通常割当てられる搬送波中に存在する必要はない。事実上、１つの補助チャンネルは幾つかのベースステーションにより共有されてもよい。
本発明はデジタル通信装置の聴覚障害のあるユーザに対して特に有益であると考えられている。即ち、このようなユーザはしばしば電子補聴器に依存しているので、本発明による動作に関係する干渉が減少されたレベルは補聴器動作に対する衝撃を最少化する。選択された適格のユーザ（例えば聴覚障害のユーザ）に関連する移動体装置だけが本発明により行われる干渉を減少したタイプの送信を行うことを許容されることを確実にする手段によって種々の権限付与方式が設けられることができる。例えば、適格の聴覚障害のユーザのみが、干渉が減少されたモードで動作する権限を予め付与された移動体装置（例えばセルラ電話）を購入することを許容される。その代わりに、干渉が減少されたモードの動作を行うことができる移動体装置を購入後、適格の聴覚障害のユーザはセルラサービス供給業者から権利を獲得し、結果として呼の設定中にセルラサービス供給業者から、干渉が減少されたモードのサービス選択の無線付勢によって受信する。
図３は、本発明による干渉が減少されたモードにおいてデジタル通信チャンネルで通信するために配置された移動体装置300のブロック図である。移動体装置300では、スピーチは技術で既に知られているようにＡ／Ｄ−Ｄ／Ａ変換器302によりデジタル化され、スピーチコーデック304でコード化される。チャンネルコーデック306は冗長度をデータ流へ導入し、ソースデータにより計算された情報を付加することによりその速度を増加し、それによって送信中に発生した信号エラーの検出と補正を可能にする。バースト発生装置308では、チャンネルコーデック306により発生されたコード化されたワード流は必要に応じてマイクロプロセッサ324からのシグナリングビットと多重化され、インターリーブされ、その後、必要に応じてトレーニングシーケンスビットとテールビットを付加することにより別々のバーストへフォーマットされる。移動体装置300は、マイクロプロセッサ324により発生されるシグナリングを使用することによって干渉が減少されたモードで動作するようにその目的をベースステーションへ通知する。バースト発生装置308により発生されたバーストは変調装置310により中間周波数へ変調される。結果的なアナログ波形は送信機312により搬送波周波数へ上方変換され、デュプレクサ314によりアンテナ316へ伝送され、ここでベースステーションへ向けて放射される。移動体装置300が前述したように干渉が減少されたモードで動作しているとき、マイクロプロセッサ324は、有効な情報がバースト発生装置308により変調装置310へ与えられているか否かにかかわらずＲＦエネルギの送信を続けるように送信機312へ命令する。周波数変動逆方向リンクチャンネルを有するシステムでは、マイクロプロセッサ324はまた、ホッピングシーケンスの次の周波数に再同調するように送信機312に命令する。
アンテナ316により受信される信号はデュプレクサ314により受信機318へ伝送される。受信機318はアンテナ316により捕捉された信号を帯域通過フィルタで濾波し、適切な信号を選択し、これを中間周波数へ下方変換する。復調装置320は受信されたバーストを変調された周波数信号から抽出し、得られたデジタル信号をデマルチプレクサ322へ供給する。デマルチプレクサ322は復調された信号をデインターリーブし、異なったスロットから受信された情報を分類し、適切な論理チャンネルへフレームを構成し、再構成されたコードワードをチャンネルコーデック306へ送る。チャンネルコーデック306はその後、付加された冗長度を使用してデマルチプレクサ322により発生されたコードワードからソース情報を再構成して発生された可能性のあるエラーを検出して補正する。主チャンネル、および第２の実施形態では補助チャンネルに割り当てる移動体装置300に対する命令がベースステーションからシグナリングメッセージを介して移動体装置300へ与えられ、チャンネルコーデック306によりマイクロプロセッサ324へ供給される。コード化されたデジタルスピーチはチャンネルコーデック306によりスピーチコーデック304へ送られ、ここでデコードされ、技術でよく知られているように変換器302でアナログスピーチ波形へ変換される。
図４は図１のセルラ移動体無線システムで動作するように設計され、干渉が減少されたモードで動作する移動体装置300を支援できるベースステーション400を示している。多くの点で、ベースステーション400のスピーチ処理動作は移動体ステーション300のスピーチ処理動作と類似している。ベースステーション400は多数の送信機412と受信機418リソースを含んでもよいが、１つの送信機412および１つの受信機418を参照にしてベースステーション400の動作を十分に説明できる。受信機418はアンテナ416により受信されるすべての信号から所望の搬送波周波数を選択する帯域通過フィルタを含んでいる。受信機418はまた所望の信号を中間周波数へ下方変換する。復調装置420は下方変換された信号からビット流を抽出し、得られたデジタル信号をデマルチプレクサ422へ送る。デマルチプレクサ422は復調された信号をディンターリーブし、異なったスロットから受信された情報を分類し、適切な論理チャンネルへフレームを構成し、再構成されたコードワードをチャンネルコーデック406へ供給する。チャンネルコーデック406は付加された冗長度を使用してデマルチプレクサ422により発生されたコードワードからソース情報を再構成し、それによって発生した可能性のあるエラーを検出して補正する。チャンネルコーデック406はまたベースステーション400を目的地とするシグナリングを分離し、これを制御装置424へ送る。
ＢＳＣインターフェイス402は、ＢＳＣとベースステーション400との間のデジタル化されたスピーチと制御メッセージとの両者のための論理インターフェイスである。多数の制御メッセージはベースステーション400に対しては透明であり、単にチャンネルコーデック406を通過するだけである。例えば、移動体装置300が干渉が減少されたモードでの動作を意図していることを通知したとき、このメッセージはベースステーション400によりＢＳＣへ通過され、ＢＳＣでこれはさらに加入者データベースへ確認のために送られる。ベースステーション400を目的地とするＢＳＣからの制御メッセージはチャンネルコーデック406により制御装置424へ送られる。例えば、セルの負荷状況に基づいて、ＢＳＣは移動体装置300が干渉が減少されたモードで動作することを許容し、移動体装置300が（第１の実施形態のように）特定の専用チャンネル、または主チャンネル、および（第２の実施形態のように）補助チャンネルにおいて送信するようにベースステーション400に命令してもよい。移動体装置300を目的地とするメッセージはバースト発生装置408へ送られ、ここでこれらはインターリーブされ、必要に応じて制御装置424により発生されるシグナリングメッセージと多重化され、バーストへフォーマットされる。変調装置410はバーストを中間周波数へ変調し、送信機412はその信号を上方変換し、これをアンテナ414によって送信する。
当業者が本発明を実行または使用することを可能にするため好ましい実施形態について前述した。これらの実施形態についての種々の変形が当業者に明白であり、ここで限定されている一般原理は本発明の機能を使用せずに他の実施形態でも応用される。したがって本発明はここで示されている実施形態に限定されず、ここで示した原理および優れた特性と一貫して広範囲の技術的範囲に従うことを意図している。
【図１】
0004024859.tif 000002
【図２】
0004024859.tif 000003
【図３】
0004024859.tif 000004
【図４】
0004024859.tif 000005